(57)【要約】【課題】吸収性コアが大きく歪むことが抑えられ、着用者の股間部へのフィット性に優れた使い捨ておむつを提供する。【解決手段】パンツ形状に形成され、股部Ｒに吸収性コア１０を有する吸収性本体７が設けられた使い捨ておむつ１であって、吸収性コア１０は、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され、吸収性本体７の外面側には外装部材２が設けられ、外装部材２には、吸収性コア１０の前側部および前側中間部と重なって延びる前側脚部弾性部材１４と、吸収性コア１０の後側部および後側中間部と重なって延びる後側脚部弾性部材１５が設けられ、外装部材２には、吸収性コア１０の前側中間部、中央部および後側中間部の幅方向の外方に弾性部材が配されていない。【選択図】図３
2022001232.tif 000002
【特許請求の範囲】
【請求項１】
前側胴部と後側胴部とこれらの間に位置する股部とを有し、前側胴部と後側胴部とが接合されることによりウェスト開口部と一対の脚開口部とを有するパンツ形状に形成された使い捨ておむつであって、
前記おむつの少なくとも股部には、トップシートとバックシートとこれらの間に配された吸収性コアとを有する吸収性本体が設けられ、
前記吸収性コアは、前後方向の前側から、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され、
前記吸収性本体の外面側には外装部材が設けられ、前記外装部材は前側胴部と股部と後側胴部に配置されており、
前記外装部材には、股部を横断し、脚開口部の前側の縁に沿って延びる前側脚部弾性部材と、股部を横断し、脚開口部の後側の縁に沿って延びる後側脚部弾性部材とが設けられ、前側脚部弾性部材は、吸収性コアの前側部および前側中間部と重なり、後側脚部弾性部材は、吸収性コアの後側部および後側中間部と重なり、
前記外装部材には、吸収性コアの前側中間部、中央部および後側中間部の幅方向の外方に弾性部材が配されていないことを特徴とする使い捨ておむつ。
【請求項２】
前記前側脚部弾性部材は、吸収性コアの前側部と重なる部分の少なくとも一部および吸収性コアの前側中間部と重なる部分の少なくとも一部が、幅方向に対して４５°以上の角度で延在し、
前記後側脚部弾性部材は、吸収性コアの後側部と重なる部分の少なくとも一部および吸収性コアの後側中間部と重なる部分の少なくとも一部が、幅方向に対して４５°以上の角度で延在している請求項１に記載の使い捨ておむつ。
【請求項３】
前記前側脚部弾性部材は、吸収性コアの前側中間部と重なる部分で、吸収性コアの前側中間部の幅方向の一方端部５％の領域および他方端部５％の領域には設けられず、
前記後側脚部弾性部材は、吸収性コアの後側中間部と重なる部分で、吸収性コアの後側中間部の幅方向の一方端部５％の領域および他方端部５％の領域には設けられない請求項１または２に記載の使い捨ておむつ。
【請求項４】
前記前側脚部弾性部材と前記後側脚部弾性部材の前後方向の離隔長さは、股部の前後方向の長さの２０％以上である請求項１〜３のいずれか一項に記載の使い捨ておむつ。
【請求項５】
前記前側脚部弾性部材は、吸収性コアの前側部の幅方向の外方部から吸収性コアの前側部および前側中間部と重なる部分にかけて連続的に延びる連続部と、前記股部を横断する部分で断続的に延びる断続部を有し、
前記後側脚部弾性部材は、吸収性コアの後側部の幅方向の外方部から吸収性コアの後側部および後側中間部と重なる部分にかけて連続的に延びる連続部と、前記股部を横断する部分で断続的に延びる断続部を有する請求項１〜４のいずれか一項に記載の使い捨ておむつ。
【請求項６】
前記前側脚部弾性部材の連続部の後側端は幅方向に対して２５°以上の角度で延在し、
前記後側脚部弾性部材の連続部の前側端は幅方向に対して２５°以上の角度で延在している請求項５に記載の使い捨ておむつ。
【請求項７】
前記前側脚部弾性部材と前記後側脚部弾性部材の間には、吸収性コアの中央部と重なって、幅方向の一方側と他方側に前後方向に延びる股部弾性部材が設けられている請求項１〜６のいずれか一項に記載の使い捨ておむつ。
【請求項８】
前記股部弾性部材は、吸収性本体のバックシートに設けられている請求項７に記載の使い捨ておむつ。
【請求項９】
前記外装部材の前側胴部には、前記前側脚部弾性部材よりも前後方向の前方に、幅方向に延びる前側胴部弾性部材が設けられ、
前記外装部材の後側胴部には、前記後側脚部弾性部材よりも前後方向の後方に、幅方向に延びる後側胴部弾性部材が設けられている請求項１〜８のいずれか一項に記載の使い捨ておむつ。
【発明の詳細な説明】
【技術分野】
【０００１】
本発明は、パンツ型の使い捨ておむつに関するものである。
【背景技術】
【０００２】
従来、ウェスト開口部と一対の脚開口部を有するパンツ形状に形成された使い捨ておむつが広く知られている（例えば、特許文献１〜５）。
【先行技術文献】
【特許文献】
【０００３】
【特許文献１】特開平８−２８０７３９号公報
【特許文献２】特開２００４−０４９７６３号公報
【特許文献３】特開２００４−２９８３９５号公報
【特許文献４】特開２０１４−１８０３４６号公報
【特許文献５】特開２０１７−０６３８４９号公報
【発明の概要】
【発明が解決しようとする課題】
【０００４】
パンツ形状に形成された使い捨ておむつには、脚開口部の縁に沿って脚部弾性部材が設けられることが多く、脚部弾性部材の収縮力によって着用者の脚周りのフィット性を高めることができる。一方、使い捨ておむつには尿等を吸収するための吸収性コアが設けられるが、脚部弾性部材の収縮力が吸収性コアに及んで吸収性コアが大きく歪むと、吸収性コアの着用者の股間部へのフィット性が低下し、尿等の漏れにつながるおそれがある。
【０００５】
本発明は前記事情に鑑みてなされたものであり、その目的は、脚開口部の縁に沿って脚部弾性部材が設けられた使い捨ておむつであって、吸収性コアが大きく歪むことが抑えられ、着用者の股間部へのフィット性に優れた使い捨ておむつを提供することにある。
【課題を解決するための手段】
【０００６】
前記課題を解決することができた本発明の使い捨ておむつとは、前側胴部と後側胴部とこれらの間に位置する股部とを有し、前側胴部と後側胴部とが接合されることによりウェスト開口部と一対の脚開口部とを有するパンツ形状に形成された使い捨ておむつであって；おむつの少なくとも股部には、トップシートとバックシートとこれらの間に配された吸収性コアとを有する吸収性本体が設けられ；吸収性コアは、前後方向の前側から、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され；吸収性本体の外面側には外装部材が設けられ、外装部材は前側胴部と股部と後側胴部に配置されており；外装部材には、股部を横断し、脚開口部の前側の縁に沿って延びる前側脚部弾性部材と、股部を横断し、脚開口部の後側の縁に沿って延びる後側脚部弾性部材とが設けられ、前側脚部弾性部材は、吸収性コアの前側部および前側中間部と重なり、後側脚部弾性部材は、吸収性コアの後側部および後側中間部と重なり；外装部材には、吸収性コアの前側中間部、中央部および後側中間部の幅方向の外方に弾性部材が配されていないところに特徴を有する。
【０００７】
本発明の使い捨ておむつは、上記のように吸収性コアが形成され、前側脚部弾性部材と後側脚部弾性部材が設けられているため、前側脚部弾性部材と後側脚部弾性部材が吸収性コアの幅方向の外縁に沿って、吸収性コアと重なるように配されることとなる。そのため、前側脚部弾性部材と後側脚部弾性部材が、吸収性コアの全体を着用者の股間部に向かって持ち上げるように作用しやすくなる。また、前側脚部弾性部材と後側脚部弾性部材が吸収性コアの前側中間部、中央部および後側中間部の幅方向の外方に配されないことにより、吸収性コアの幅方向の外縁およびその近傍が歪みにくくなり、吸収性コアの平面性が保たれやすくなる。そのため、吸収性コアが大きく歪むことなく平面性を保ったまま着用者の股間部に向かって持ち上げられ、吸収性コアの着用者の股間部へのフィット性を高めることができる。
【０００８】
前側脚部弾性部材は、吸収性コアの前側部と重なる部分の少なくとも一部および吸収性コアの前側中間部と重なる部分の少なくとも一部が、幅方向に対して４５°以上の角度で延在し、後側脚部弾性部材は、吸収性コアの後側部と重なる部分の少なくとも一部および吸収性コアの後側中間部と重なる部分の少なくとも一部が、幅方向に対して４５°以上の角度で延在していることが好ましい。このように前側脚部弾性部材と後側脚部弾性部材が配されていれば、使い捨ておむつを着用した際に、前側脚部弾性部材と後側脚部弾性部材の収縮力によって吸収性コアが上方に向かって好適に持ち上げられやすくなり、吸収性コアの着用者の股間部へのフィット性を高めることができる。
【０００９】
前側脚部弾性部材は、吸収性コアの前側中間部と重なる部分で、吸収性コアの前側中間部の幅方向の一方端部５％の領域および他方端部５％の領域には設けられず、後側脚部弾性部材は、吸収性コアの後側中間部と重なる部分で、吸収性コアの後側中間部の幅方向の一方端部５％の領域および他方端部５％の領域には設けられないことが好ましい。このように前側脚部弾性部材と後側脚部弾性部材が設けられていれば、吸収性コアの幅方向の外縁およびその近傍が歪みにくくなり、吸収性コアの平面性が保たれやすくなる。
【００１０】
前側脚部弾性部材と後側脚部弾性部材の前後方向の離隔長さは、股部の前後方向の長さの２０％以上であることが好ましい。このように前側脚部弾性部材と後側脚部弾性部材が配されていれば、使い捨ておむつの股部に前側脚部弾性部材と後側脚部弾性部材が存在しない領域が広く形成され、着用者の股間部で前側脚部弾性部材と後側脚部弾性部材による締め付け感やごわつき感が低減される。そのため、使い捨ておむつの着用感が向上する。
【００１１】
前側脚部弾性部材は、吸収性コアの前側部の幅方向の外方部から吸収性コアの前側部および前側中間部と重なる部分にかけて連続的に延びる連続部と、股部を横断する部分で断続的に延びる断続部を有し、後側脚部弾性部材は、吸収性コアの後側部の幅方向の外方部から吸収性コアの後側部および後側中間部と重なる部分にかけて連続的に延びる連続部と、股部を横断する部分で断続的に延びる断続部を有することが好ましい。このように前側脚部弾性部材と後側脚部弾性部材が設けられていれば、吸収性コアの平面性が全体にわたって確保されやすくなるとともに、吸収性コアが着用者の股間部に向かって好適に持ち上がりやすくなり、吸収性コアの着用者の股間部へのフィット性を高めることができる。
【００１２】
前側脚部弾性部材の連続部の後側端は幅方向に対して２５°以上の角度で延在し、後側脚部弾性部材の連続部の前側端は幅方向に対して２５°以上の角度で延在していることが好ましい。このように前側脚部弾性部材と後側脚部弾性部材が配されていれば、前側脚部弾性部材の連続部の後側端と後側脚部弾性部材の連続部の前側端において、前側脚部弾性部材と後側脚部弾性部材による収縮力が吸収性コアを上方に持ち上げる方向に作用しやすくなり、吸収性コアの着用者の股間部へのフィット性を高めることができる。
【００１３】
前側脚部弾性部材と後側脚部弾性部材の間には、吸収性コアの中央部と重なって、幅方向の一方側と他方側に前後方向に延びる股部弾性部材が設けられていてもよい。このように股部弾性部材が設けられることにより、股部弾性部材が前側脚部弾性部材と後側脚部弾性部材と協同して吸収性コアを着用者の股間部に向かって持ち上げるように作用する。そのため、吸収性コアの着用者の股間部へのフィット性を高めることができる。この場合、股部弾性部材は吸収性本体のバックシートに設けられることが好ましく、これにより、股部弾性部材を簡便に設置することができる。
【００１４】
外装部材の前側胴部には、前側脚部弾性部材よりも前後方向の前方に、幅方向に延びる前側胴部弾性部材が設けられ、外装部材の後側胴部には、後側脚部弾性部材よりも前後方向の後方に、幅方向に延びる後側胴部弾性部材が設けられていることが好ましい。前側胴部弾性部材と後側胴部弾性部材により、使い捨ておむつの着用者の胴周りのフィット性を高めることができる。また、このように各弾性部材を配することにより、前側脚部弾性部材と前側胴部弾性部材が互いの収縮力を阻害しにくくなり、後側脚部弾性部材と後側胴部弾性部材が互いの収縮力を阻害しにくくなるため、各弾性部材の収縮力が好適に発揮されやすくなる。
【発明の効果】
【００１５】
本発明の使い捨ておむつは、前側脚部弾性部材と後側脚部弾性部材が吸収性コアの幅方向の外縁に沿って、吸収性コアと重なるように配されているため、吸収性コアの全体が着用者の股間部に向かって持ち上げられやすくなる。また、吸収性コアの前側中間部、中央部および後側中間部の幅方向の外方に弾性部材が配されないことにより、吸収性コアの幅方向の外縁およびその近傍が歪みにくくなり、吸収性コアの平面性が保たれやすくなる。そのため、吸収性コアが大きく歪むことなく平面性を保ったまま着用者の股間部に向かって持ち上げられ、吸収性コアの着用者の股間部へのフィット性を高めることができる。
【図面の簡単な説明】
【００１６】
【図１】本発明の使い捨ておむつの一例を表し、使い捨ておむつの斜視図を表す。
【図２】図１に示した使い捨ておむつの前側胴部と後側胴部との接合を解いて展開した状態を肌面側から見た平面図を表す。
【図３】図２に示した展開状態の使い捨ておむつを外面側から見た平面図を表す。
【図４】図２および図３に示した使い捨ておむつのＩＶ−ＩＶ断面図を表す。
【図５】図２および図３に示した展開状態の使い捨ておむつにおいて、主に前側脚部弾性部材と後側脚部弾性部材と吸収性コアの配置を示した図を表す。
【図６】図３に示した外面側から見た展開状態の使い捨ておむつの平面図の変形例を表す。
【図７】図６に示した展開状態の使い捨ておむつにおいて、主に前側脚部弾性部材と後側脚部弾性部材と股部弾性部材と吸収性コアの配置を示した図を表す。
【発明を実施するための形態】
【００１７】
本発明の使い捨ておむつについて、図面を参照して説明する。なお本発明は、図面に示された実施態様に限定されるものではない。図１〜図５には、本発明の使い捨ておむつの一例を示した。図１は使い捨ておむつの斜視図を表し、図２は、図１に示した使い捨ておむつの前側胴部と後側胴部との接合を解いて平面に展開した状態を肌面側から見た平面図を表し、図３は、図２に示した展開状態の使い捨ておむつを外面側から見た平面図を表し、図４は、図２および図３に示した使い捨ておむつのＩＶ−ＩＶ断面図を表し、図５は、図２および図３に示した展開状態の使い捨ておむつにおいて、主に前側脚部弾性部材と後側脚部弾性部材と吸収性コアの配置を示した図を表す。なお図面では、矢印ｘが幅方向、矢印ｙが前後方向を表し、矢印ｘ，ｙにより形成される面に対して垂直方向が厚み方向ｚを表す。
【００１８】
使い捨ておむつ１は、前側胴部Ｐと後側胴部Ｑとこれらの間に位置する股部Ｒとを有し、ウェスト開口部３と一対の脚開口部４を有するパンツ形状に形成されたものである。ウェスト開口部３は着用者の胴を通すための開口であり、脚開口部４は着用者の脚を通すための開口である。前側胴部Ｐは、おむつを着用の際に着用者の腹側に当てる部分に相当し、後側胴部Ｑは、おむつを着用の際に着用者の背側に当てる部分に相当する。使い捨ておむつ１において、前側胴部Ｐと後側胴部Ｑはウェスト開口部３と脚開口部４の間に位置する部分に相当する。股部Ｒは、前側胴部Ｐと後側胴部Ｑとの間に位置し、着用者の股間に当てる部分に相当する。股部Ｒは一対の脚開口部４の間に位置し、幅方向ｘの両側で互いに接合されない。使い捨ておむつ１は、前側胴部Ｐと後側胴部Ｑがサイド接合部１１で接合されることによりウェスト開口部３と一対の脚開口部４が形成される。サイド接合部１１は、例えば、前側胴部Ｐと後側胴部Ｑの幅方向ｘの両側を溶着により互いに接合することにより形成される。
【００１９】
使い捨ておむつ１において、前後方向ｙは、おむつを着用した際に着用者の股間の前後方向に延びる方向に相当する。幅方向ｘは、使い捨ておむつ１と同一面上にあり前後方向ｙと直交する方向を意味し、おむつを着用した際の着用者の左右方向に相当する。使い捨ておむつ１はまた、肌面側と外面側を有する。肌面側とは、おむつを着用した際の着用者の肌に向く側を意味し、外面側とは、おむつを着用した際の着用者とは反対に向く側を意味する。
【００２０】
使い捨ておむつ１には、股部Ｒに、トップシート８とバックシート９の間に吸収性コア１０が配された吸収性本体７が設けられる（図２〜図４を参照）。吸収性本体７は、少なくとも股部Ｒに存在すればよく、さらに前側胴部Ｐおよび／または後側胴部Ｑに延在していることが好ましい。図面に示した使い捨ておむつ１では、パンツ形状に形成された外装部材２の肌面側に、トップシート８とバックシート９の間に吸収性コア１０が配された吸収性本体７が設けられている。トップシート８は吸収性コア１０の肌面側に配され、バックシート９は吸収性コア１０の外面側に配される。
【００２１】
トップシート８は液透過性であることが好ましく、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート８として、織布、編布、有孔プラスチックフィルム等を用いてもよい。
【００２２】
バックシート９は液不透過性であることが好ましく、例えば、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２３】
トップシート８やバックシート９が不織布から構成される場合、不織布としては、スパンボンド不織布、エアスルー不織布、ポイントボンド不織布、メルトブロー不織布、エアレイド不織布、ＳＭＳ不織布等を用いることが好ましい。
【００２４】
吸収性コア１０は、尿等の排泄物を吸収できる吸収性材料を含むものであれば特に限定されない。吸収性コア１０としては、例えば、吸収性材料を所定形状に成形した成形体を用いることができる。吸収性コア１０は、紙シート（例えば、ティッシュペーパーや薄葉紙）や液透過性不織布等のシート部材で覆われてもよい。吸収性コア１０に含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱溶着性繊維が含まれてもよい。これらの熱溶着性繊維は、尿等の体液との親和性を高めるために、界面活性剤等により親水化処理がされていてもよい。
【００２５】
吸収性材料は、尿等の吸収速度を高める点から、親水性繊維を含むことが好ましい。また、吸収容量を高める点からは、吸収性材料は吸水性樹脂を含むことが好ましい。従って、吸収性コア１０は親水性繊維（特にパルプ繊維）と吸水性樹脂を含むことが好ましい。この場合、例えば、親水性繊維の集合体に吸水性樹脂を混合または散布したものを用いることが好ましい。
【００２６】
吸収性コア１０は、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２７】
吸収性コア１０は、少なくとも股部Ｒに存在すればよく、さらに前側胴部Ｐおよび／または後側胴部Ｑに延在していることが好ましい。吸収性コア１０は略砂時計形に形成される。具体的には、図５に示すように、吸収性コア１０は、前後方向ｙの前側から、前側部１０Ａと前側中間部１０Ｂと中央部１０Ｃと後側中間部１０Ｄと後側部１０Ｅとを有し、前側部１０Ａと後側部１０Ｅが中央部１０Ｃよりも幅広に形成され、前側中間部１０Ｂと後側中間部１０Ｄはそれぞれ中央部１０Ｃから前側部１０Ａまたは後側部１０Ｅに向かって幅が漸増するように形成されている。このように吸収性コア１０が形成されることにより、吸収性コア１０は中央部１０Ｃで着用者の両脚から圧迫されにくくなり、おむつを着用した際に吸収性コア１０が歪みにくくなる。
【００２８】
吸収性コア１０において、中央部１０Ｃが略砂時計形のくびれ部に相当し、前側中間部１０Ｂと後側中間部１０Ｄの幅方向ｘの外縁が略砂時計形の傾斜縁部に相当する。吸収性コア１０は、前側部１０Ａおよび／または後側部１０Ｅが幅方向ｘに最も広く形成され、中央部１０Ｃが幅方向ｘに最も狭く形成される。前側部１０Ａと後側部１０Ｅは幅方向ｘの長さが同じであっても異なっていてもよく、図面では前側部１０Ａと後側部１０Ｅが略同幅に形成されている。吸収性コア１０は、幅方向ｘの外縁が、前側中間部１０Ｂにおいて中央部１０Ｃから前側部１０Ａに向かって幅方向ｘの外方に広がるように形成され、後側中間部１０Ｄにおいて中央部１０Ｃから後側部１０Ｅに向かって幅方向ｘの外方に広がるように形成されている。前側中間部１０Ｂの前後方向ｙの長さと後側中間部１０Ｄの前後方向ｙの長さはそれぞれ、吸収性コア１０の前後方向ｙの長さの３％以上であることが好ましく、５％以上がより好ましく、７％以上がさらに好ましく、また２５％以下が好ましく、２０％以下がより好ましく、１５％以下がさらに好ましい。なお、前側部１０Ａと中央部１０Ｃと後側部１０Ｅはそれぞれ、幅方向ｘの長さが実質的に変化しないように形成されていることが好ましい。
【００２９】
吸収性コア１０は、中央部１０Ｃと前側中間部１０Ｂと後側中間部１０Ｄが股部Ｒのみに位置することが好ましい。中央部１０Ｃは、外装部材２の股部Ｒの最も幅狭な部分を縦断して前後方向ｙに延在していることが好ましい。中央部１０Ｃと前側中間部１０Ｂと後側中間部１０Ｄの前後方向ｙの合計長さは、股部Ｒの前後方向ｙの長さの４０％以上が好ましく、５０％以上がより好ましく、また８０％以下が好ましく、７０％以下がより好ましい。前側部１０Ａと後側部１０Ｅは少なくとも股部Ｒに位置し、さらに前側胴部Ｐおよび／または後側胴部Ｑに延在していることが好ましい。
【００３０】
図２および図４に示すように、吸収性本体７には、幅方向ｘの両側に立ち上がりフラップ１２が設けられることが好ましい。立ち上がりフラップ１２を設けることにより、尿等の排泄物の横漏れを防ぐことができる。立ち上がりフラップ１２は、液不透過性であることが好ましい。立ち上がりフラップ１２が立ち上がった状態の上端部（着用者側の端部）には、起立用弾性部材１３が設けられることが好ましく、起立用弾性部材１３の収縮力により立ち上がりフラップ１２の起立が促される。
【００３１】
吸収性本体７の外面側には外装部材２が設けられ、外装部材２は前側胴部Ｐと股部Ｒと後側胴部Ｑに配置される。外装部材２は、例えば、前側胴部Ｐと後側胴部Ｑとこれらの間に位置する股部Ｒとが連続するように形成される。この場合、外装部材２は、前側胴部Ｐと後側胴部Ｑとを幅方向ｘの両側で互いに接合することによりパンツ形状に形成することができ、吸収性本体７は、パンツ形状に形成された外装部材２の少なくとも股部Ｒの肌面側に設けられる。外装部材２はまた、前側胴部Ｐとそれに隣接する股部Ｒの一部と後側胴部Ｑとそれに隣接する股部Ｒの他の一部に配置されてもよい。この場合、外装部材２は、前側胴部Ｐを含む部分と後側胴部Ｑを含む部分とに分かれて構成され、吸収性本体７はこれら両部分に繋がって設けられ、吸収性本体７の一部は股部Ｒで使い捨ておむつ１の外面側に露出するように設けられる。図面に示した使い捨ておむつ１では、外装部材２はパンツ形状に形成されている。
【００３２】
外装部材２は、前側胴部Ｐと後側胴部Ｑにおいて、吸収性本体７よりも幅方向ｘの外方に延在するように設けられる。外装部材２は、股部Ｒにおいても、吸収性本体７よりも幅方向ｘの外方に延在するように設けられることが好ましい。外装部材２はまた、吸収性本体７よりも前後方向ｙの前方および後方に延在するように設けられることが好ましい。
【００３３】
外装部材２は、内側シート５と、内側シート５の外面側に配された外側シート６を有することが好ましい。吸収性本体７は内側シート５の肌面側に設けられることが好ましい。内側シート５と外側シート６は、液透過性であっても液不透過性であってもよく、トップシート８やバックシート９に使用可能なシート材料を用いることができる。図面では、内側シート５と外側シート６はそれぞれパンツ形状を有するように形成されているが、外装部材２がパンツ形状に形成される場合は、内側シート５と外側シート６の少なくとも一方がパンツ形状に形成されていればよい。例えば、内側シート５と外側シート６の一方が股部Ｒにおいて前後方向ｙに分離して設けられてもよい。
【００３４】
外装部材２には、脚開口部４の縁に沿って脚部弾性部材１４，１５が設けられている。外装部材２が内側シート５と外側シート６から構成される場合は、前側脚部弾性部材１４と後側脚部弾性部材１５は内側シート５と外側シート６の間に配されることが好ましく、また、前側脚部弾性部材１４と後側脚部弾性部材１５は内側シート５および／または外側シート６に接着されることが好ましい。
【００３５】
前側脚部弾性部材１４は、股部Ｒを横断し、脚開口部４の前側の縁に沿って延びるように設けられ、後側脚部弾性部材１５は、股部Ｒを横断し、脚開口部４の後側の縁に沿って延びるように設けられる。前側脚部弾性部材１４は、吸収性コア１０の前側部１０Ａおよび前側中間部１０Ｂと重なって設けられ、後側脚部弾性部材１５は、吸収性コア１０の後側部１０Ｅおよび後側中間部１０Ｄと重なって設けられる（図５を参照）。そして、外装部材２には、吸収性コア１０の前側中間部１０Ｂ、中央部１０Ｃおよび後側中間部１０Ｄの幅方向ｘの外方に弾性部材が配されない。従って、前側脚部弾性部材１４は、吸収性コア１０の前側中間部１０Ｂと中央部１０Ｃの幅方向ｘの外方には配されず、後側脚部弾性部材１５は、吸収性コア１０の後側中間部１０Ｄと中央部１０Ｃの幅方向ｘの外方には配されない。
【００３６】
使い捨ておむつ１は、吸収性コア１０が略砂時計形に形成され、前側脚部弾性部材１４と後側脚部弾性部材１５が上記のように配されることにより、前側脚部弾性部材１４と後側脚部弾性部材１５が吸収性コア１０の幅方向ｘの外縁に沿って、吸収性コア１０と重なるように配されることとなる。そのため、前側脚部弾性部材１４と後側脚部弾性部材１５が、吸収性コア１０の全体を着用者の股間部に向かって持ち上げるように作用しやすくなる。また、前側脚部弾性部材１４と後側脚部弾性部材１５が吸収性コア１０の前側中間部１０Ｂ、中央部１０Ｃおよび後側中間部１０Ｄの幅方向ｘの外方に配されないことにより、吸収性コア１０の幅方向ｘの外縁およびその近傍が歪みにくくなり、吸収性コア１０の平面性が保たれやすくなる。そのため、吸収性コア１０が大きく歪むことなく平面性を保ったまま着用者の股間部に向かって持ち上げられやすくなり、吸収性コア１０の着用者の股間部へのフィット性が高められる。
【００３７】
前側脚部弾性部材１４は、吸収性コア１０の中央部１０Ｃと重なって配されてもよい。後側脚部弾性部材１５は、吸収性コア１０の中央部１０Ｃと重なって配されてもよい。前側脚部弾性部材１４と後側脚部弾性部材１５は前後方向ｙに互いに離隔して設けられることが好ましく、これにより前側脚部弾性部材１４と後側脚部弾性部材１５が互いの収縮力を阻害せず、各弾性部材の収縮力が好適に発揮される。この場合、前側脚部弾性部材１４と後側脚部弾性部材１５の前後方向ｙの離隔長さは、使い捨ておむつ１の股部Ｒの前後方向ｙの長さの２０％以上であることが好ましく、２５％以上がより好ましく、３０％以上がさらに好ましい。このように前側脚部弾性部材１４と後側脚部弾性部材１５が設けられていれば、股部Ｒに前側脚部弾性部材１４と後側脚部弾性部材１５が存在しない領域が広く形成され、着用者の股間部で前側脚部弾性部材１４と後側脚部弾性部材１５による締め付け感やごわつき感が低減される。そのため、使い捨ておむつ１の着用感が向上する。一方、前側脚部弾性部材１４と後側脚部弾性部材１５の収縮力によって吸収性コア１０が着用者の股間部に向かって好適に持ち上げられるようにする観点から、前側脚部弾性部材１４と後側脚部弾性部材１５の前後方向ｙの離隔長さは、使い捨ておむつ１の股部Ｒの前後方向ｙの長さの７０％以下であることが好ましく、６０％以下がより好ましく、５０％以下がさらに好ましい。
【００３８】
前側脚部弾性部材１４と後側脚部弾性部材１５の前後方向ｙの離隔長さは、使い捨ておむつ１の前側胴部Ｐと後側胴部Ｑのサイド接合部１１での接合を解いて展開して完全に広げた状態で規定する。具体的には、このように使い捨ておむつ１を展開した状態で、使い捨ておむつ１に設けられる弾性部材を完全に伸張させた状態（例えば、弾性部材を細かく切断したりして弾性部材の収縮力が発現しない状態）で測定する。本明細書におけるその他の様々な長さ、位置、角度に関しても、同様にして測定する。
【００３９】
使い捨ておむつ１において、股部Ｒの前後方向ｙの中心には前側脚部弾性部材１４と後側脚部弾性部材１５が存在しないことが好ましい。また使い捨ておむつ１において、股部Ｒに前側脚部弾性部材１４と後側脚部弾性部材１５が存在しない領域は、股部Ｒの前後方向ｙの前側に偏って形成されていることが好ましい。従って、股部Ｒの前後方向ｙの中心から前側脚部弾性部材１４の後側端までの前後方向ｙの長さは、股部Ｒの前後方向ｙの中心から後側脚部弾性部材１５の前側端までの前後方向ｙの長さよりも長いことが好ましい。例えば、股部Ｒの前後方向ｙの中心から前側脚部弾性部材１４の後側端までの前後方向ｙの長さは、股部Ｒの前後方向ｙの中心から後側脚部弾性部材１５の前側端までの前後方向ｙの長さの１．２倍以上が好ましく、１．３倍以上がより好ましく、また３．０倍以下が好ましく、２．５倍以下がより好ましい。このように前側脚部弾性部材１４と後側脚部弾性部材１５が配されることにより、使い捨ておむつ１を着用した状態で着用者が脚を前後に動かしやすくなる。例えば、着用者が脚を前に動かす際に、前側脚部弾性部材１４によって脚の動きが阻害されにくくなり、また前側脚部弾性部材１４によるごわつき感を着用者が覚えにくくなる。
【００４０】
前側脚部弾性部材１４は、股部Ｒを横断する部分で断続的に延びていることが好ましい。後側脚部弾性部材１５は、股部Ｒを横断する部分で断続的に延びていることが好ましい。すなわち、前側脚部弾性部材１４と後側脚部弾性部材１５は、幅方向ｘに平行に延在する部分の少なくとも一部が断続的に設けられていることが好ましい。このように前側脚部弾性部材１４と後側脚部弾性部材１５が設けられていれば、前側脚部弾性部材１４と後側脚部弾性部材１５が股部Ｒを横断する部分で吸収性コア１０が歪みにくくなり、吸収性コア１０の平面性が保持されやすくなる。そのため、吸収性コア１０の着用者の股間部へのフィット性を高めることができる。
【００４１】
前側脚部弾性部材１４および／または後側脚部弾性部材１５を断続的に設ける場合は、前側脚部弾性部材１４と後側脚部弾性部材１５を内側シート５および／または外側シート６に接着固定した後、前側脚部弾性部材１４と後側脚部弾性部材１５をカッター等で切断すればよい。このようにすることで、前側脚部弾性部材１４と後側脚部弾性部材１５を製造上簡単に断続的に設けることができ、前側脚部弾性部材１４と後側脚部弾性部材１５が断続的に設けられた部分で、弾性部材の収縮力を実質的に失わせることができる。
【００４２】
前側脚部弾性部材１４は、吸収性コア１０の前側部１０Ａと前側中間部１０Ｂと重なる部分で、前後方向ｙの後方かつ幅方向ｘの内方に向かって延びていることが好ましい。後側脚部弾性部材１５は、吸収性コア１０の後側部１０Ｅと後側中間部１０Ｄと重なる部分で、前後方向ｙの前方かつ幅方向ｘの内方に向かって延びていることが好ましい。
【００４３】
前側脚部弾性部材１４は、吸収性コア１０の前側部１０Ａと重なる部分の少なくとも一部と吸収性コア１０の前側中間部１０Ｂと重なる部分の少なくとも一部が、幅方向ｘに対して４５°以上の角度で延在していることが好ましく、５０°以上の角度がより好ましく、５５°以上の角度がさらに好ましい。当該角度の上限は特に限定されないが、例えば７５°以下の角度が好ましく、７０°以下の角度がより好ましく、６５°以下の角度がさらに好ましい。前側脚部弾性部材１４はまた、吸収性コア１０の前側部１０Ａと前側中間部１０Ｂの境において、このような角度で延在していることが好ましい。後側脚部弾性部材１５は、吸収性コア１０の後側部１０Ｅと重なる部分の少なくとも一部と吸収性コア１０の後側中間部１０Ｄと重なる部分の少なくとも一部が、幅方向ｘに対して４５°以上の角度で延在していることが好ましく、５０°以上の角度がより好ましく、５５°以上の角度がさらに好ましい。当該角度の上限は特に限定されないが、例えば７５°以下の角度が好ましく、７０°以下の角度がより好ましく、６５°以下の角度がさらに好ましい。後側脚部弾性部材１５はまた、吸収性コア１０の後側部１０Ｅと後側中間部１０Ｄの境において、このような角度で延在していることが好ましい。このように前側脚部弾性部材１４と後側脚部弾性部材１５が配されていれば、使い捨ておむつ１を着用した際に、前側脚部弾性部材１４と後側脚部弾性部材１５の収縮力によって吸収性コア１０が上方に向かって好適に持ち上げられやすくなり、吸収性コア１０の着用者の股間部へのフィット性を高めることができる。なお、幅方向ｘに対する前側脚部弾性部材１４の延在方向の角度は、幅方向ｘと前側脚部弾性部材１４の延在方向とのなす角の絶対値を意味し、幅方向ｘに対する後側脚部弾性部材１５の延在方向の角度は、幅方向ｘと後側脚部弾性部材１５の延在方向とのなす角の絶対値を意味する。本明細書におけるその他の角度も、幅方向ｘとなす角の絶対値を意味する。
【００４４】
前側脚部弾性部材１４は、吸収性コア１０の前側中間部１０Ｂと重なる部分で、吸収性コア１０の前側中間部１０Ｂの幅方向ｘの一方端部５％の領域および他方端部５％の領域には設けられないことが好ましく、吸収性コア１０の前側中間部１０Ｂの幅方向ｘの一方端部１０％の領域および他方端部１０％の領域には設けられないことがより好ましい。後側脚部弾性部材１５は、吸収性コア１０の後側中間部１０Ｄと重なる部分で、吸収性コア１０の後側中間部１０Ｄの幅方向ｘの一方端部５％の領域および他方端部５％の領域には設けられないことが好ましく、吸収性コア１０の後側中間部１０Ｄの幅方向ｘの一方端部１０％の領域および他方端部１０％の領域には設けられないことがより好ましい。このように前側脚部弾性部材１４と後側脚部弾性部材１５が配されていれば、吸収性コア１０の幅方向ｘの外縁およびその近傍が歪みにくくなり、吸収性コア１０の平面性が保たれやすくなる。図面に示した吸収性コア１０では、前側中間部１０Ｂまたは後側中間部１０Ｄの一方端部または他方端部５％の領域は、略平行四辺形の形状で形成される。
【００４５】
前側脚部弾性部材１４は、吸収性コア１０の前側部１０Ａの幅方向ｘの外縁と重なる部分で、幅方向ｘに対して２０°以上の角度で延在していることが好ましく、２５°以上の角度がより好ましく、また６０°以下の角度が好ましく、５０°以下の角度がより好ましい。後側脚部弾性部材１５は、吸収性コア１０の後側部１０Ｅの幅方向ｘの外縁と重なる部分で、幅方向ｘに対して２０°以上の角度で延在していることが好ましく、２５°以上の角度がより好ましく、また６０°以下の角度が好ましく、５０°以下の角度がより好ましい。このように前側脚部弾性部材１４と後側脚部弾性部材１５が配されていれば、使い捨ておむつ１を着用した際に、前側脚部弾性部材１４と後側脚部弾性部材１５の収縮力によって吸収性コア１０が上方に向かって持ち上げられるとともに、吸収性コア１０の前側部１０Ａと後側部１０Ｅが幅方向ｘに広がり、吸収性コア１０の着用者の股間部へのフィット性を高めることができる。
【００４６】
前側脚部弾性部材１４は、吸収性コア１０の前側部１０Ａと重なる部分から吸収性コア１０の前側部１０Ａの幅方向ｘの外方にかけて延びていることが好ましく、サイド接合部１１またはその近傍（例えばサイド接合部１１から幅方向ｘに２０ｍｍ以内の領域）まで延在していることが好ましい。後側脚部弾性部材１５は、吸収性コア１０の後側部１０Ｅと重なる部分から吸収性コア１０の後側部１０Ｅの幅方向ｘの外方にかけて延びていることが好ましく、サイド接合部１１またはその近傍（例えばサイド接合部１１から幅方向ｘに２０ｍｍ以内の領域）まで延在していることが好ましい。これにより、前側脚部弾性部材１４と後側脚部弾性部材１５の収縮力によって吸収性コア１０の前側部１０Ａと後側部１０Ｅが幅方向ｘに広がりやすくなり、吸収性コア１０の着用者の股間部へのフィット性を高めることができる。
【００４７】
前側脚部弾性部材１４は、外装部材２の前側胴部Ｐにおいて、前側胴部Ｐの前後方向ｙの後側１／３の領域のみに設けられることが好ましい。また、外装部材２において、前側脚部弾性部材１４は他の弾性部材と交差しないことが好ましい。後側脚部弾性部材１５は、外装部材２の後側胴部Ｑにおいて、後側胴部Ｑの前後方向ｙの前側１／３の領域のみに設けられることが好ましい。また、外装部材２において、後側脚部弾性部材１５は他の弾性部材と交差しないことが好ましい。このように前側脚部弾性部材１４と後側脚部弾性部材１５が配されることにより、前側脚部弾性部材１４と後側脚部弾性部材１５によって脚開口部４の縁に沿ってギャザーが好適に形成され、使い捨ておむつ１の脚周りのフィット性を高めることができる。
【００４８】
前側脚部弾性部材１４は、吸収性コア１０の前側部１０Ａの幅方向ｘの外方部から吸収性コア１０の前側部１０Ａおよび前側中間部１０Ｂと重なる部分にかけて連続的に延びていることが好ましく、後側脚部弾性部材１５は、吸収性コア１０の後側部１０Ｅの幅方向ｘの外方部から吸収性コア１０の後側部１０Ｅおよび後側中間部１０Ｄと重なる部分にかけて連続的に延びていることが好ましい。また上記に説明したように、前側脚部弾性部材１４と後側脚部弾性部材１５は、股部Ｒを横断する部分で断続的に延びていることが好ましい。従って、前側脚部弾性部材１４は、吸収性コア１０の前側部１０Ａの幅方向ｘの外方部から吸収性コア１０の前側部１０Ａおよび前側中間部１０Ｂと重なる部分にかけて連続的に延びる連続部と、股部Ｒを横断する部分で断続的に延びる断続部を有することが好ましく、後側脚部弾性部材１５は、吸収性コア１０の後側部１０Ｅの幅方向ｘの外方部から吸収性コア１０の後側部１０Ｅおよび後側中間部１０Ｄと重なる部分にかけて連続的に延びる連続部と、股部Ｒを横断する部分で断続的に延びる断続部を有することが好ましい。このように前側脚部弾性部材１４と後側脚部弾性部材１５が設けられていれば、吸収性コア１０の平面性が全体にわたって確保されやすくなるとともに、吸収性コア１０が着用者の股間部に向かって好適に持ち上がりやすくなり、吸収性コア１０の着用者の股間部へのフィット性を高めることができる。
【００４９】
前側脚部弾性部材１４の連続部の後側端１４Ｅは、幅方向ｘに対して２５°以上の角度で延在していることが好ましく、３０°以上の角度がより好ましく、３５°以上の角度がさらに好ましい。当該角度の上限は特に限定されないが、例えば７０°以下の角度が好ましく、６０°以下の角度がより好ましく、５０°以下の角度がさらに好ましい。後側脚部弾性部材１５の連続部の前側端１５Ｅは、幅方向ｘに対して２５°以上の角度で延在していることが好ましく、３０°以上の角度がより好ましく、３５°以上の角度がさらに好ましい。当該角度の上限は特に限定されないが、例えば７０°以下の角度が好ましく、６０°以下の角度がより好ましく、５０°以下の角度がさらに好ましい。このように前側脚部弾性部材１４と後側脚部弾性部材１５が配されていれば、前側脚部弾性部材１４の連続部の後側端１４Ｅと後側脚部弾性部材１５の連続部の前側端１５Ｅにおいて吸収性コア１０を上方に持ち上げる方向に力が作用しやすくなり、吸収性コア１０の着用者の股間部へのフィット性を高めることができる。
【００５０】
前側脚部弾性部材１４の幅方向ｘの一方側の連続部の後側端１４Ｅと他方側の連続部の後側端１４Ｅの幅方向ｘの離隔長さは、吸収性コア１０の中央部１０Ｃの幅方向ｘの長さの３０％以上であることが好ましく、４０％以上がより好ましく、また９０％以下が好ましく、８０％以下がより好ましい。後側脚部弾性部材１５の幅方向ｘの一方側の連続部の前側端１５Ｅと他方側の連続部の前側端１５Ｅの幅方向ｘの離隔長さは、吸収性コア１０の中央部１０Ｃの幅方向ｘの長さの３０％以上であることが好ましく、４０％以上がより好ましく、また９０％以下が好ましく、８０％以下がより好ましい。このように前側脚部弾性部材１４と後側脚部弾性部材１５が配されていれば、前側脚部弾性部材１４と後側脚部弾性部材１５の収縮力によって、吸収性コア１０の幅方向ｘの全体が上方に持ち上がりやすくなる。
【００５１】
前側脚部弾性部材１４の連続部の後側端１４Ｅと後側脚部弾性部材１５の連続部の前側端１５Ｅの前後方向ｙの離隔長さは、使い捨ておむつ１の股部Ｒの前後方向ｙの長さの２０％以上であることが好ましく、２５％以上がより好ましく、３０％以上がさらに好ましい。このように前側脚部弾性部材１４と後側脚部弾性部材１５が配されていれば、股部Ｒに前側脚部弾性部材１４と後側脚部弾性部材１５の収縮力が作用しない領域が広く形成され、着用者の股間部で前側脚部弾性部材１４と後側脚部弾性部材１５による締め付け感やごわつき感が低減される。一方、前側脚部弾性部材１４と後側脚部弾性部材１５の収縮力によって吸収性コア１０が着用者の股間部に向かって好適に持ち上げられるようにする観点から、前側脚部弾性部材１４の連続部の後側端１４Ｅと後側脚部弾性部材１５の連続部の前側端１５Ｅの前後方向ｙの離隔長さは、使い捨ておむつ１の股部Ｒの前後方向ｙの長さの７０％以下であることが好ましく、６０％以下がより好ましく、５０％以下がさらに好ましい。
【００５２】
股部Ｒの前後方向ｙの中心から前側脚部弾性部材１４の連続部の後側端１４Ｅまでの前後方向ｙの長さは、股部Ｒの前後方向ｙの中心から後側脚部弾性部材１５の連続部の前側端１５Ｅまでの前後方向ｙの長さよりも長いことが好ましい。例えば、股部Ｒの前後方向ｙの中心から前側脚部弾性部材１４の連続部の後側端１４Ｅまでの前後方向ｙの長さは、股部Ｒの前後方向ｙの中心から後側脚部弾性部材１５の連続部の前側端１５Ｅまでの前後方向ｙの長さの１．２倍以上が好ましく、１．３倍以上がより好ましく、また３．０倍以下が好ましく、２．５倍以下がより好ましい。このように前側脚部弾性部材１４と後側脚部弾性部材１５が設けられることにより、使い捨ておむつ１を着用した状態で着用者が脚を前後に動かしやすくなる。すなわち、着用者が脚を前に動かす際に、前側脚部弾性部材１４によって脚の動きが阻害されにくくなる。
【００５３】
前側脚部弾性部材１４と後側脚部弾性部材１５はそれぞれ、複数本並んで外装部材２に配されていることが好ましい。図面では、前側脚部弾性部材１４と後側脚部弾性部材１５はそれぞれ４本並んで配置されているが、２本または３本並んで配置されていてもよく、５本以上並んで配置されてもよい。このように前側脚部弾性部材１４と後側脚部弾性部材１５が配置されることにより、複数本の前側脚部弾性部材１４によって帯状の前側脚部弾性領域が形成され、複数本の後側脚部弾性部材１５によって帯状の後側脚部弾性領域が形成される。そのため、前側脚部弾性部材１４と後側脚部弾性部材１５によって吸収性コア１０をより安定して支えることができる。複数本の前側脚部弾性部材１４が配置された幅、すなわち帯状の前側脚部弾性領域の延在方向に対する幅と、複数本の後側脚部弾性部材１５が配置された幅、すなわち帯状の後側脚部弾性領域の延在方向に対する幅は、５ｍｍ以上が好ましく、８ｍｍ以上がより好ましく、また３０ｍｍ以下が好ましく、２５ｍｍ以下がより好ましい。
【００５４】
前側脚部弾性部材１４と後側脚部弾性部材１５の間には、吸収性コア１０の中央部１０Ｃと重なって、幅方向ｘの一方側と他方側に前後方向ｙに延びる股部弾性部材１６が設けられてもよい。これについて図６および図７を参照して説明する。図６は、図３に示した展開状態の使い捨ておむつの平面図の変形例を表し、図７は、図６に示した展開状態の使い捨ておむつにおいて、主に前側脚部弾性部材と後側脚部弾性部材と股部弾性部材と吸収性コアの配置を示した図を表す。図６および図７に示した使い捨ておむつ１は、図１〜図５に示した使い捨ておむつ１に対して、さらに股部弾性部材１６が設けられている。
【００５５】
図６および図７に示すように、使い捨ておむつ１には、前側脚部弾性部材１４と後側脚部弾性部材１５の間に、吸収性コア１０の中央部１０Ｃと重なって、幅方向ｘの一方側と他方側に前後方向ｙに延びる股部弾性部材１６が設けられてもよい。このように股部弾性部材１６が設けられることにより、股部弾性部材１６が前側脚部弾性部材１４と後側脚部弾性部材１５と協同して吸収性コア１０を着用者の股間部に向かって持ち上げるように作用する。そのため、吸収性コア１０の着用者の股間部へのフィット性を高めることができる。股部弾性部材１６は、吸収性コア１０の中央部１０Ｃと重なるとともに前側中間部１０Ｂおよび／または後側中間部１０Ｄと重なって設けられてもよい。なお、股部弾性部材１６は、吸収性コア１０の前側部１０Ａと後側部１０Ｅとは重ならないことが好ましい。
【００５６】
股部弾性部材１６は、外装部材２に設けられるか、吸収性本体７のバックシート９に設けられることが好ましい。例えば股部弾性部材１６は、外装部材２の内側シート５および／または外側シート６に接着されたり、吸収性本体７のバックシート９に接着されることが好ましい。なお、股部弾性部材１６を簡便に設置できる点から、股部弾性部材１６は吸収性本体７のバックシート９に設けられることが好ましい。
【００５７】
股部弾性部材１６の前側端は、前側脚部弾性部材１４の後側端またはその近傍（例えば、前側脚部弾性部材１４の後側端から前後方向ｙに１５ｍｍ以内の範囲）にあることが好ましく、股部弾性部材１６の後側端は、後側脚部弾性部材１５の前側端またはその近傍（例えば、後側脚部弾性部材１５の前側端から前後方向ｙに１５ｍｍ以内の範囲）にあることが好ましい。より好ましくは、股部弾性部材１６の前側端は前側脚部弾性部材１４の後側端から前後方向ｙの後方１５ｍｍ以内の範囲にあり、股部弾性部材１６の後側端は後側脚部弾性部材１５の前側端から前後方向ｙの前方１５ｍｍ以内の範囲にある。このように股部弾性部材１６が配されれば、股部弾性部材１６と前側脚部弾性部材１４と後側脚部弾性部材１５との一体性を高めることができる。
【００５８】
幅方向ｘの一方側に配された股部弾性部材１６と他方側に配された股部弾性部材１６の幅方向ｘの離隔長さは、吸収性コア１０の中央部１０Ｃの幅方向ｘの長さの４０％以上であることが好ましく、５０％以上がより好ましく、また８０％以下が好ましく、７０％以下がより好ましい。このように股部弾性部材１６が配されていれば、股部弾性部材１６の収縮力によって吸収性コア１０の幅方向ｘの全体が上方に持ち上がりやすくなる。
【００５９】
幅方向ｘの一方側の股部弾性部材１６と他方側の股部弾性部材１６はそれぞれ、複数本並んで配されていることが好ましい。図面では、幅方向ｘの一方側の股部弾性部材１６と他方側の股部弾性部材１６はそれぞれ２本並んで配置されているが、３本以上並んで配置されていてもよい。このように股部弾性部材１６が配置されることにより、股部弾性部材１６の収縮力によって吸収性コア１０をより安定して着用者の股間部に向かって持ち上げることができる。
【００６０】
使い捨ておむつ１は、図１〜図３および図６に示すように、前側胴部Ｐに、幅方向ｘに延びる前側胴部弾性部材１７が設けられ、後側胴部Ｑに、幅方向ｘに延びる後側胴部弾性部材１８が設けられることが好ましい。前側胴部弾性部材１７と後側胴部弾性部材１８は、ウェスト開口部３と脚開口部４の間に設けられる。前側胴部弾性部材１７と後側胴部弾性部材１８により、使い捨ておむつ１の着用者の胴周りのフィット性が高められる。なお、前側胴部弾性部材１７と後側胴部弾性部材１８のうち、ウェスト開口部３の縁に沿って前後方向ｙに狭い間隔で設けられる弾性部材を腰部弾性部材１９として設けてもよく、これにより着用者の腰周りに沿ったウェストギャザーが形成され、背中側や腹部側からの尿等の排泄物の漏れが防止される。図１〜図３および図６では、腰部弾性部材１９は前側胴部弾性部材１７と後側胴部弾性部材１８よりも前後方向ｙに狭い間隔で設けられている。
【００６１】
前側胴部弾性部材１７と後側胴部弾性部材１８と腰部弾性部材１９は、外装部材２に設けられることが好ましく、内側シート５と外側シート６の間に設けられることがより好ましい。この場合、前側胴部弾性部材１７と後側胴部弾性部材１８と腰部弾性部材１９は、内側シート５および／または外側シート６に接着されることが好ましい。
【００６２】
外装部材２は、ウェスト開口部３の縁に沿って折り返されていてもよい。例えば、外側シート６がウェスト開口部３の縁で内側シート５側に折り返されていてもよい（図示せず）。この場合、腰部弾性部材１９は、折り返された外側シート６の間に挟まれて、外側シート６に接着されてもよい。
【００６３】
前側胴部Ｐにおいて、前側胴部弾性部材１７は前側脚部弾性部材１４よりも前後方向ｙの前方に配されることが好ましく、後側胴部Ｑにおいて、後側胴部弾性部材１８は後側脚部弾性部材１５よりも前後方向ｙの後方に配されることが好ましい。すなわち、前側胴部弾性部材１７は前側脚部弾性部材１４と交差または接しないことが好ましく、後側胴部弾性部材１８は後側脚部弾性部材１５と交差または接しないことが好ましい。このように各弾性部材が配されることにより、各弾性部材の収縮力が互いに阻害されにくくなる。その結果、前側脚部弾性部材１４と後側脚部弾性部材１５によって使い捨ておむつ１の脚周りのフィット性を高めることができるとともに、前側胴部弾性部材１７と後側胴部弾性部材１８によって使い捨ておむつ１の胴周りのフィット性を高めることができる。
【００６４】
使い捨ておむつ１に設けられる各弾性部材としては、ポリウレタン糸、ポリウレタンフィルム、天然ゴム等の通常の使い捨ておむつに用いられる弾性伸縮材料を用いることができる。各弾性部材は、伸張状態で使い捨ておむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【符号の説明】
【００６５】
１：  使い捨ておむつ
２：  外装部材
３：  ウェスト開口部
４：  脚開口部
５：  内側シート
６：  外側シート
７：  吸収性本体
８：  トップシート
９：  バックシート
１０：  吸収性コア
１１：  サイド接合部
１４：  前側脚部弾性部材
１５：  後側脚部弾性部材
１６：  股部弾性部材
１７：  前側胴部弾性部材
１８：  後側胴部弾性部材
１９：  腰部弾性部材
【図１】
2022001232.tif 000003
【図２】
2022001232.tif 000004
【図３】
2022001232.tif 000005
【図４】
2022001232.tif 000006
【図５】
2022001232.tif 000007
【図６】
2022001232.tif 000008
【図７】
2022001232.tif 000009
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
前側胴部と後側胴部とこれらの間に位置する股部とを有し、前側胴部と後側胴部とが接合されることによりウェスト開口部と一対の脚開口部とを有するパンツ形状に形成された使い捨ておむつであって、
前記おむつの少なくとも股部には、トップシートとバックシートとこれらの間に配された吸収性コアとを有する吸収性本体が設けられ、
前記吸収性コアは、前後方向の前側から、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され、
前記吸収性本体の外面側には外装部材が設けられ、前記外装部材は前側胴部と股部と後側胴部に配置されており、
前記外装部材には、股部を横断し、脚開口部の前側の縁に沿って延びる前側脚部弾性部材と、股部を横断し、脚開口部の後側の縁に沿って延びる後側脚部弾性部材とが設けられ、前側脚部弾性部材は、吸収性コアの前側部および前側中間部と重なり、後側脚部弾性部材は、吸収性コアの後側部および後側中間部と重なり、
前記前側脚部弾性部材は、吸収性コアの前側部の幅方向の外方部から吸収性コアの前側部および前側中間部と重なる部分にかけて連続的に延びる連続部と、前記股部を横断する部分で断続的に延びる断続部を有し、
前記後側脚部弾性部材は、吸収性コアの後側部の幅方向の外方部から吸収性コアの後側部および後側中間部と重なる部分にかけて連続的に延びる連続部と、前記股部を横断する部分で断続的に延びる断続部を有し、
前記外装部材には、吸収性コアの前側中間部、中央部および後側中間部の幅方向の外方に弾性部材が配されていないことを特徴とする使い捨ておむつ。
【請求項２】
前記前側脚部弾性部材は、吸収性コアの前側部と重なる部分の少なくとも一部および吸収性コアの前側中間部と重なる部分の少なくとも一部が、幅方向に対して４５°以上の角度で延在し、
前記後側脚部弾性部材は、吸収性コアの後側部と重なる部分の少なくとも一部および吸収性コアの後側中間部と重なる部分の少なくとも一部が、幅方向に対して４５°以上の角度で延在している請求項１に記載の使い捨ておむつ。
【請求項３】
前記前側脚部弾性部材は、吸収性コアの前側中間部と重なる部分で、吸収性コアの前側中間部の幅方向の一方端部５％の領域および他方端部５％の領域には設けられず、
前記後側脚部弾性部材は、吸収性コアの後側中間部と重なる部分で、吸収性コアの後側中間部の幅方向の一方端部５％の領域および他方端部５％の領域には設けられない請求項１または２に記載の使い捨ておむつ。
【請求項４】
前記前側脚部弾性部材と前記後側脚部弾性部材の前後方向の離隔長さは、股部の前後方向の長さの２０％以上である請求項１〜３のいずれか一項に記載の使い捨ておむつ。
【請求項５】
前記前側脚部弾性部材の連続部の後側端は幅方向に対して２５°以上の角度で延在し、
前記後側脚部弾性部材の連続部の前側端は幅方向に対して２５°以上の角度で延在している請求項１〜４のいずれか一項に記載の使い捨ておむつ。
【請求項６】
前記前側脚部弾性部材と前記後側脚部弾性部材の間には、吸収性コアの中央部と重なって、幅方向の一方側と他方側に前後方向に延びる股部弾性部材が設けられている請求項１〜５のいずれか一項に記載の使い捨ておむつ。
【請求項７】
前記股部弾性部材は、吸収性本体のバックシートに設けられている請求項６に記載の使い捨ておむつ。
【請求項８】
前記外装部材の前側胴部には、前記前側脚部弾性部材よりも前後方向の前方に、幅方向に延びる前側胴部弾性部材が設けられ、
前記外装部材の後側胴部には、前記後側脚部弾性部材よりも前後方向の後方に、幅方向に延びる後側胴部弾性部材が設けられている請求項１〜７のいずれか一項に記載の使い捨ておむつ。